(57)【要約】【課題】  復号動作等を行わずに簡単な構成で放送方式を判別する受信装置及び判別方法を提供することを目的とする。【解決手段】  放送周波数に同調可能な同調部（１２０）と、狭帯域フィルタ（１２６）と、ＴＶ放送信号の周波数帯域におけるアナログＴＶ放送搬送波を含む周波数に狭帯域フィルタの通過帯域が合致した場合の狭帯域フィルタを通過する第１の信号レベルと、ＴＶ放送信号の周波数帯域におけるアナログＴＶ放送搬送波を含まない周波数に狭帯域フィルタの通過帯域が合致した場合の狭帯域フィルタを通過する第２の信号レベルとを比較して同調した周波数帯域がアナログ放送方式に対応するのかデジタル放送方式に対応するのかを判別する判別部（１１０）とを有する受信装置（１０）。【選択図】      図１
2006238130.tif 000002
【特許請求の範囲】
【請求項１】
受信装置であって、
放送周波数に同調可能な同調部と、
狭帯域フィルタと、
ＴＶ放送信号の周波数帯域におけるアナログＴＶ放送搬送波を含む周波数に前記狭帯域フィルタの通過帯域が合致した場合の前記狭帯域フィルタを通過する第１の信号レベルと、ＴＶ放送信号の周波数帯域におけるアナログＴＶ放送搬送波を含まない周波数に前記狭帯域フィルタの通過帯域が合致した場合の前記狭帯域フィルタを通過する第２の信号レベルとを比較し、同調した周波数帯域がアナログ放送方式に対応するのかデジタル放送方式に対応するのかを判別する判別部と、
を有することを特徴とする受信装置。
【請求項２】
前記アナログＴＶ放送搬送波を含まない周波数は、デジタルＴＶ放送搬送波の中心周波数である、請求項１に記載の受信装置。
【請求項３】
受信装置であって、
放送周波数に同調可能な同調部と、
デジタルＴＶ放送の放送帯域を通過させるための広帯域フィルタと、
ＴＶ放送信号の周波数帯域におけるアナログＴＶ放送搬送波を含む周波数領域を通過帯域とする狭帯域フィルタと、
ＴＶ放送信号に同調する同調状態において前記広帯域フィルタを通過する第１の信号レベルと、前記狭帯域フィルタを通過する第２の信号レベルとを比較し、同調した周波数帯域がアナログ放送方式に対応するのかデジタル放送方式に対応するのかを判別する判別部と、
を有することを特徴とする受信装置。
【請求項４】
前記広帯域フィルタを用いて前記同調部がデジタルＴＶ放送搬送波を含む周波数に同調した場合に、前記検出部は前記第１の受信レベルを出力し、
その後、前記狭帯域フィルタを用いて前記検出部はアナログＴＶ放送搬送波を含む周波数から前記第２の受信レベルを出力する、請求項３に記載の受信装置。
【請求項５】
前記狭帯域フィルタは、双峰特性を有する、請求項４に記載の受信装置。
【請求項６】
さらに、前記広帯域フィルタと前記狭帯域フィルタとを切換えるための切換部を有する、請求項１〜５の何れか一項に記載の受信装置。
【請求項７】
受信装置であって、
同調部と、
デジタルＴＶ放送帯域を通過させる広帯域フィルタと、
可変帯域フォルタと、
前記可変帯域フィルタを第１のカットオフ周波数と第２のカットオフ周波数で切換える切換部と、
ＴＶ放送波受信状態において前記可変帯域フィルタを前記第１のカットオフ周波数に切換えた場合の第１の信号レベルと、前記可変帯域フィルタを前記第２のカットオフ周波数に切換えた場合の第２の信号レベルとを比較し、同調した周波数帯域がアナログ放送方式に対応するのかデジタル放送方式に対応するのかを判別する判別部と、
を有することを特徴とする受信装置。
【請求項８】
前記受信装置は、ダブルスーパヘテロダイン方式の受信回路を有し、前記可変帯域フィルタは前記受信回路の第２中間周波数段に配置されている、請求項７に記載の受信装置。
【請求項９】
前記第１のカットオフ周波数はデジタルＴＶ放送帯域全体をほぼ通過させ、前記第２のカットオフ周波数はデジタルＴＶ放送帯域の一部を通過させる、請求項７又は８に記載の受信装置。
【請求項１０】
放送周波数に同調可能な同調部及び狭帯域フィルタを有する受信装置における放送方式判別方法であって、
ＴＶ放送信号の周波数帯域におけるアナログＴＶ放送搬送波を含む周波数に前記狭帯域フィルタの通過帯域が合致した場合の前記狭帯域フィルタを通過する第１の信号レベルを検出し、
その後、ＴＶ放送信号の周波数帯域におけるアナログＴＶ放送搬送波を含まない周波数に前記狭帯域フィルタの通過帯域が合致した場合の前記狭帯域フィルタを通過する第２の信号レベルを検出し、
前記第１の信号レベルと前記第２の信号レベルとを比較することによって、同調した周波数帯域がアナログ放送方式に対応するのかデジタル放送方式に対応するのかを判別する、
ステップを有することを特徴とする判別方法。
【請求項１１】
デジタルＴＶ放送の放送帯域を通過させるための広帯域フィルタ、ＴＶ放送信号の周波数帯域におけるアナログＴＶ放送搬送波を含む周波数領域を通過帯域とする狭帯域フィルタ、及び放送周波数に同調可能な同調部を有する受信装置における放送方式判別方法であって、
ＴＶ放送信号に同調する同調状態において前記広帯域フィルタを通過する第１の信号レベルを検出し、
その後、ＴＶ放送信号に同調する同調状態において、前記狭帯域フィルタを通過する第２の信号レベルを検出し、
前記第１の信号レベルと前記第２の信号レベルとを比較することによって、同調した周波数帯域がアナログ放送方式に対応するのかデジタル放送方式に対応するのかを判別する、
ステップを有することを特徴とする判別方法。
【請求項１２】
広帯域フィルタ、可変帯域フィルタ、及び同調部を有する受信装置における放送方式判別方法であって、
前記可変帯域フィルタをデジタルＴＶ放送帯域全体をほぼ通過させる第１のカットオフ周波数に切換えて第１の信号レベルを検出し、
その後、前記可変帯域フィルタをデジタルＴＶ放送帯域の一部を通過させる第２のカットオフ周波数に切換えて第２の信号レベルを検出し、
前記第１の信号レベルと前記第２の信号レベルとを比較することによって、同調した周波数帯域がアナログ放送方式に対応するのかデジタル放送方式に対応するのかを判別する、
ステップを有することを特徴とする判別方法。
【発明の詳細な説明】
【技術分野】
【０００１】
本発明は、アナログＴＶ放送とデジタルＴＶ放送とを判別することができる受信装置及びそのような受信装置における放送判別方法に関するものである。
【背景技術】
【０００２】
現在、地上デジタルテレビジョン放送（以下「デジタルＴＶ放送」と言う）と、地上アナログテレビジョン放送（以下「アナログＴＶ放送」と言う）とが並存しており、両者の各チャンネルに割り当てられている周波数帯域が隣接することが知られている（例えば、特許文献１参照）。
【０００３】
しかしながら、両者の受信方式は著しく異なるため、このような状況においてサーチ選局等を行う場合、同調された放送がデジタルＴＶ放送であるのかアナログＴＶ放送かを判断する必要がある。ところで、デジタルＴＶ放送の場合、受信した符号化されたデジタルデータを復号処理等し、放送内容を解読して初めてデジタルＴＶ放送であることが判明するため、デジタルＴＶ放送であると判明するまで時間を必要とする。したがって、サーチ選局に時間がかかるという不具合があった。
【０００４】
【特許文献１】特開２０００−３５０１０７号公報（２頁）
【発明の開示】
【発明が解決しようとする課題】
【０００５】
そこで、本発明は、短時間で放送方式を判別する受信装置及び判別方法を提供することを目的とする。
【０００６】
また、本発明は、復号動作等を行わずに簡単な構成で放送方式を判別する受信装置及び判別方法を提供することを目的とする。
【課題を解決するための手段】
【０００７】
上記課題を解決するために、本発明に係る受信装置は、放送周波数に同調可能な同調部と、狭帯域フィルタと、ＴＶ放送信号の周波数帯域におけるアナログＴＶ放送搬送波を含む周波数に狭帯域フィルタの通過帯域が合致した場合の狭帯域フィルタを通過する第１の信号レベルとＴＶ放送信号の周波数帯域におけるアナログＴＶ放送搬送波を含まない周波数に狭帯域フィルタの通過帯域が合致した場合の狭帯域フィルタを通過する第２の信号レベルとを比較して同調した周波数帯域がアナログ放送方式に対応するのかデジタル放送方式に対応するのかを判別する判別部とを有することを特徴とする。アナログＴＶ放送の場合では、搬送波周波数が存在する場所としない場所とで受信レベルに差が生じるのに対し、デジタルＴＶ放送の場合では、搬送波の帯域幅中ではほぼ受信レベルが変化しないことを利用して、アナログＴＶ放送かデジタルＴＶ放送かを判別するように構成したものである。
【０００８】
さらに、本発明に係る受信装置では、アナログＴＶ放送搬送波を含まない周波数は、デジタルＴＶ放送搬送波の中心周波数であることが好ましい。
【０００９】
また上記課題を解決するために、本発明に係る受信装置は、放送周波数に同調可能な同調部と、デジタルＴＶ放送の放送帯域を通過させるための広帯域フィルタと、ＴＶ放送信号の周波数帯域におけるアナログＴＶ放送搬送波を含む周波数領域を通過帯域とする狭帯域フィルタと、ＴＶ放送信号に同調する同調状態において広帯域フィルタを通過する第１の信号レベルと狭帯域フィルタを通過する第２の信号レベルとを比較し同調した周波数帯域がアナログ放送方式に対応するのかデジタル放送方式に対応するのかを判別する判別部とを有することを特徴とする。
【００１０】
さらに、本発明に係る受信装置では、広帯域フィルタを用いて同調部がデジタルＴＶ放送搬送波を含む周波数に同調した場合に検出部は第１の受信レベルを出力し、その後、狭帯域フィルタを用いて検出部はアナログＴＶ放送搬送波を含む周波数から第２の受信レベルを出力することが好ましい。アナログＴＶ放送の場合では、搬送波周波数が存在する場所を含めば、広帯域幅でも狭帯域幅でもほぼ受信レベルが変化しないのに対し、デジタルＴＶ放送では、受信した帯域幅に比例した受信レベルが出力されるため、広帯域幅と狭帯域幅と受信レベル変化することを利用して、アナログＴＶ放送かデジタルＴＶ放送かを判別するように構成したものである。
【００１１】
さらに、本発明に係る受信装置では、狭帯域フィルタは、双峰特性を有することが好ましい。
【００１２】
さらに、本発明に係る受信装置では、広帯域フィルタと狭帯域フィルタとを切換えるための切換部を有することが好ましい。
【００１３】
また、上記課題を解決するために、本発明に係る受信装置は、同調部と、デジタルＴＶ放送帯域を通過させる広帯域フィルタと、可変帯域フォルタと、可変帯域フィルタを第１のカットオフ周波数と第２のカットオフ周波数で切換える切換部と、ＴＶ放送波受信状態において可変帯域フィルタを第１のカットオフ周波数に切換えた場合の第１の信号レベルと可変帯域フィルタを第２のカットオフ周波数に切換えた場合の第２の信号レベルとを比較して同調した周波数帯域がアナログ放送方式に対応するのかデジタル放送方式に対応するのかを判別する判別部とを有することを特徴とする。
【００１４】
さらに、本発明に係る受信装置では、受信装置は、ダブルスーパヘテロダイン方式の受信回路を有し、可変帯域フィルタは受信回路の第２中間周波数段に配置されていることが好ましい。
【００１５】
さらに、本発明に係る受信装置では、第１のカットオフ周波数はデジタルＴＶ放送帯域全体をほぼ通過させ、第２のカットオフ周波数はデジタルＴＶ放送帯域の一部を通過させるように設定されることが好ましい。アナログＴＶ放送の場合では、搬送波周波数が存在する場所を含めば、広帯域幅でも狭帯域幅でもほぼ受信レベルが変化しないのに対し、デジタルＴＶ放送では、受信した帯域幅に比例した受信レベルが出力されるため、広帯域幅と狭帯域幅と受信レベル変化することを利用して、アナログＴＶ放送かデジタルＴＶ放送かを判別するように構成したものである。
【００１６】
また、上記課題を解決するために、本発明に係る受信装置における放送方式判別方法では、ＴＶ放送信号の周波数帯域におけるアナログＴＶ放送搬送波を含む周波数に狭帯域フィルタの通過帯域が合致した場合の狭帯域フィルタを通過する第１の信号レベルを検出し、その後、ＴＶ放送信号の周波数帯域におけるアナログＴＶ放送搬送波を含まない周波数に狭帯域フィルタの通過帯域が合致した場合の狭帯域フィルタを通過する第２の信号レベルを検出し、第１の信号レベルと第２の信号レベルとを比較することによって同調した周波数帯域がアナログ放送方式に対応するのかデジタル放送方式に対応するのかを判別する、ステップを有することを特徴とする。
【００１７】
また、上記課題を解決するために、本発明に係る受信装置における放送方式判別方法では、ＴＶ放送信号に同調する同調状態において広帯域フィルタを通過する第１の信号レベルを検出し、その後、狭帯域フィルタを通過する第２の信号レベルを検出し、第１の信号レベルと第２の信号レベルとを比較することによって同調した周波数帯域がアナログ放送方式に対応するのかデジタル放送方式に対応するのかを判別する、ステップを有することを特徴とする。
【００１８】
また、上記課題を解決するために、本発明に係る受信装置における放送方式判別方法では、可変帯域フィルタをデジタルＴＶ放送帯域全体をほぼ通過させる第１のカットオフ周波数に切換えて第１の信号レベルを検出し、その後、可変帯域フィルタをデジタルＴＶ放送帯域の一部を通過させる第２のカットオフ周波数に切換えて第２の信号レベルを検出し、第１の信号レベルと第２の信号レベルとを比較することによって同調した周波数帯域がアナログ放送方式に対応するのかデジタル放送方式に対応するのかを判別する、ステップを有することを特徴とする。
【発明の効果】
【００１９】
本発明に係る受信装置及びそのような受信装置における判別方法によれば、放送波の復調を行わずに、放送波（放送方式）の判別を行うことが可能となった。
【発明を実施するための最良の形態】
【００２０】
以下図面を参照して、本発明に係る受信装置及び判別方法について説明する。
【００２１】
図１は、本発明に係わる受信装置１０の概要を示すブロック図である。
【００２２】
受信装置１０は、デジタルＴＶ放送を受信するための装置であって、選局した放送波がデジタルＴＶ放送によるものであるかアナログＴＶ放送によるものであるかを判別できるように構成されている。受信装置１０は、チューナ部１００、ＯＦＤＭ復調処理部１５０、ＴＳデコード処理部１６０、映像デコーダ１７０、提示処理部１８０、音声デコーダ１９０等から構成されている。また、受信装置１０は、アンテナ２０、車載用等のスピーカ３０、及び車載用等の表示部４０と接続されている。
【００２３】
チューナ部１００は、アンテナ２０より放送波を受信し、所望の帯域に存在するＯＦＤＭ（Orthogonal Frequency Division Multiplexing）信号を抽出して、ＯＦＤＭ復調処理部１５０へ送る。ＯＦＤＭ復調処理部１５０は、デジタル変調されたＯＦＤＭ信号の復調を行い、誤り訂正処理等を行って、ＴＳ（トランスポート・ストリーム）パケット信号をＴＳデコード処理部１６０へ送る。ＴＳデコード処理部１６０は、ＴＳパケット信号を、フィルタリング（選別）し、符号化デジタルデータを音声と映像に分離して、映像デコーダ１７０及び音声デコーダ１９０へ引渡す。映像デコーダ１７０は、ＴＳデコード処理部１６から受信した符号化されたデジタルデータのビットストリームをデコードして、映像データを生成する。映像データは提示処理部１８０において所定の処理がなされた後、表示部４０に表示される。音声デコーダは、ＴＳデコード処理部１６から受信した符号化されたデータのビットストリームをデコードして、音声データを生成する。音声データはアナルグ信号に変換後、スピーカ３０において再生される。
【００２４】
チューナ部１００は、受信制御部１１０によって制御される。受信制御部１１０は、ＣＰＵ、ＲＡＭ及びＲＯＭ等を内蔵し、予めインストールされているプログラムにしたがって、各要素を制御し、後述する手順にしたがって、受信信号がデジタルＴＶ放送用のものであるか、アナログＴＶ放送用のものであるかを判別する。
【００２５】
また、チューナ部１００は、ＲＦ（Radio Frequency)増幅回路１１２、第１混合回路１１４、第１局部発信回路１１６及びＲＦ−ＡＧＣ（Auto Gain Control)回路１１８を有している。ＲＦ増幅回路１１２は、ＲＦ−ＡＧＣ回路１１８によってゲイン調整がなされるように構成されている。第１局部発信回路１１６は、ＰＬＬ（Phase-Locked Loop)シンセサイザ方式のもので、受信制御部１１０からの制御信号に応じてＰＬＬ選局回路１２０から供給されるＰＬＬ制御信号に従い、所定の周波数ステップで第１局部発信信号を生成する。ＲＦ増幅回路１１２で増幅された高周波の受信信号は混合回路１１４で第１局部発信回路１１６からの第１局部発信信号と混合されてＩＦ（Intermediate Frequency)信号に変換され、第１切換回路１２２に入力される。
【００２６】
第１切換回路１２２には、約５．７ＭＨｚの通過帯域を有する広帯域ＢＰＦ（Band Pass Filter)１２４と、約０．５ＭＨｚの通過帯域を有する狭帯域ＢＰＦ１２６が、受信制御部１１０からの制御信号に応じて何れか一方に切換可能に接続されている。
【００２７】
第１混合回路１１４から出力され、広帯域ＢＰＦ１２４又は狭帯域ＢＰＦ１２６を通過したＩＦ周波数信号は、第１ＩＦ増幅回路１２８で増幅され、第２局部発信回路１３２から出力される第２局部発信信号と第２混合回路１３０にて混合される。第２混合回路１３０から出力されたＩＦ周波数信号は、第２ＩＦ増幅器１３４で高利得に増幅されてＯＦＤＭ復調処理部１５０に入力される。このように、チューナ部１００は、アンテナに到来する不受信の電波の影響が小さく、周波数選択度を向上でき、ＩＦ段で高利得増幅が可能な所謂ダブルスーパヘテロダイン方式を採用している。
【００２８】
また、ＯＦＤＭ復調処理部１５０に入力されたＩＦ周波数信号の受信レベルは第２切換回路１３６を介して第１ＩＦ増幅回路１２８へフィードバックされ、第１ＩＦ増幅回路１２８のゲイン調整がなされ、ＯＦＤＭ復調処理部１５０へ所定レベルの信号が入力されるように自動制御されている。
【００２９】
しかしながら、受信制御部１１０からの制御信号によって第２切換回路１３６がフィードバックを解除した場合には、ＯＦＤＭ復調処理部１５０からの信号が遮断される。この場合、それまでのフィードバック信号の電圧レベルが、電圧保持回路１３８によって保持されて第１ＩＦ増幅回路１２８に供給される。したがって、その後はＯＦＤＭ復調処理部１５０へ入力される信号の受信レベルはレベル調整されなくなる。また、受信制御部１１０は、ＯＦＤＭ復調処理部１５０に入力されたＩＦ周波数信号の受信レベルを検出し、受信レベルに基いて、信号がデジタルＴＶ放送用のものであるか、アナログＴＶ放送用のものであるかを判別する。
【００３０】
図２及び図３を用いて、受信装置１０を用いた、第１の放送波の判別動作について説明する。
【００３１】
図２（ａ）は、１チャンネルに対応した約６ＭＨｚ帯域幅を有するアナログＴＶ放送のスペクトラム２０１を示している。ここで、ｆｖはアナログＴＶ放送の映像搬送波周波数、ｆｓはアナログＴＶ放送の音声搬送波周波数を示している。また、ｆｃはデジタルＴＶ放送の放送帯域の中心周波数に対応した位置を示している。なお、図中において、Ｉは信号レベル、Ｆは周波数を示している。
【００３２】
図２（ｂ）は、１チャンネルに対応した約５．７ＭＨｚ帯域幅を有するデジタルＴＶ放送のスペクトラム２０２を示している。ここで、ｆｃはデジタルＴＶ放送の放送帯域の中心周波数に対応した位置を示している。また、ｆｖ及びｆｓは、アナログＴＶ放送のスペクトラムの各周波数位置に対応している。さらに、ｆｃとｆｖとの差は同様に約１．２５ＭＨｚである。
【００３３】
第１の放送波の判別動作において、最初、受信制御部１１０は、狭帯域ＢＰＦ１２６を選択し（Ｓ３０１）、狭帯域ＢＰＦ１２６の周波数帯域幅を利用して、所定周波数ステップ毎にサーチ選局を行い、狭帯域ＢＰＦ１２６を同調させ（Ｓ３０２）第１の受信レベルを検出する（Ｓ３０３）。
【００３４】
例えば、アナログＴＶ放送を選局した場合、狭帯域ＢＰＦ１２６は、まずｆｖの位置で同調されることとなる（図２（ｃ）の（１）参照）。この時、同調位置は、アナログＴＶ放送の映像搬送波周波数に対応するため、ＯＦＤＭ復調処理部１５０は高い受信レベルを出力し（図２(ｅ）の２２０）、受信制御部１１０はこれを検出することができる。
【００３５】
また、デジタルＴＶ放送を選局した場合、狭帯域ＢＰＦ１２６は、まずｆｖの位置で同調されることとなる（図２（ｄ）の（３）参照）。デジタルＴＶ放送では、帯域幅全体に渡って搬送波を有するため、ＯＦＤＭ復調処理部１５０は所定の受信レベルを出力し（図２(ｆ）の２３０）、受信制御部１１０はこれを検出することができる。なお、図２（ｃ）及び（ｄ）における２１０は狭帯域ＢＰＦの帯域幅を示しおり、図２(ｅ）におけるＶは受信レベルを、Ｆは周波数を示している。
【００３６】
次に、受信制御部１１０は、ｆｖとｆｃとの差分、即ち１．２５ＭＨｚ分だけ同調周波数を強制的に上げるようにずらして（Ｓ３０４）、即ちｆｃに同調するようにＰＬＬ選局回路１２０を制御して、第２の受信レベルを検出する（Ｓ３０５）。
【００３７】
例えば、アナログＴＶ放送を選局した場合、狭帯域ＢＰＦ１２６が、ｆｃの位置で同調されることとなる（図２（ｃ）の（２）参照）。この時、同調位置には、アナログＴＶ放送の周波数が存在しないため、ＯＦＤＭ復調処理部１５０は低い受信レベルを出力し（図２(ｅ）の２２２）、受信制御部１１０はこれを検出することができる。
【００３８】
また、デジタルＴＶ放送を選局した場合、狭帯域ＢＰＦ１２６が、ｆｃの位置で同調されることとなる（図２（ｄ）の（４）参照）。デジタルＴＶ放送では、帯域幅全体に渡って搬送波を有するため、ＯＦＤＭ復調処理部１５０は所定の受信レベルを出力し（図２(ｆ）の２３２）、受信制御部１１０はこれを検出することができる。
【００３９】
次に、受信制御部１１０は、第１の受信レベルと第２の受信レベルとの比較を行って、放送波の判別を行う（Ｓ３０６）。
【００４０】
即ち、第１の受信レベルが第２の受信レベルより高い場合には（図２（ｅ）参照）、アナログＴＶ放送波と判別する、第１の受信レベルと第２の受信レベルがほぼ等しい場合には（図２（ｆ）参照）、デジタルＴＶ放送波と判別する。このように、第１の放送波判別方法では、放送波の復調を行わずに、放送波（放送方式）の判別を行うことが可能となった。
【００４１】
図４及び図５を用いて、受信装置１０を用いた、第２の放送波の判別動作について説明する。
【００４２】
図４（ａ）は、図２（ａ）と同様に、１チャンネルに対応した約６ＭＨｚ帯域幅を有するアナログＴＶ放送のスペクトラム２０１を示している。また、図４（ｂ）は、図２（ｂ）と同様に、１チャンネルに対応した約５．７ＭＨｚ帯域幅を有するデジタルＴＶ放送のスペクトラム２０２を示している。
【００４３】
第２の放送波の判別動作において、最初、受信制御部１１０は、広帯域ＢＰＦ１２４を選択し（Ｓ５０１）、広帯域ＢＰＦ１２４の周波数帯域幅を利用して、所定周波数ステップ毎にサーチ選局を行い、広帯域ＢＰＦ１２４を同調させ（Ｓ５０２）、第１の受信レベルを検出する（Ｓ５０３）。
【００４４】
例えば、アナログＴＶ放送を選局した場合、広帯域ＢＰＦ１２４は、アナログＴＶ放送のスペクトラム２０１全体をほぼカバーすることとなる（図４（ｃ）参照）。この時、ＯＦＤＭ復調処理部１５０は、アナログＴＶ放送の映像搬送波周波数ｆｖ又はアナログＴＶ放送の音声搬送波周波数ｆｓに対応する、高い受信レベルを出力し（図４(ｇ）の３３０）、受信制御部１１０はこれを検出することができる。
【００４５】
また、デジタルＴＶ放送を選局した場合、狭帯域ＢＰＦ１２６は、デジタルＴＶ放送のスペクトラム２０２の全体をほぼカバーすることとなる（図４（ｄ）参照）。したがって、ＯＦＤＭ復調処理部１５０は、デジタルＴＶ放送のスペクトラム２０２の全体の帯域幅に比例した高い受信レベルを出力し（図４(ｈ）の３４０）、受信制御部１１０はこれを検出することができる。なお、図４（ｃ）及び（ｄ）における３００は広帯域ＢＰＦ１２４の帯域幅を示している。
【００４６】
次に、受信制御部１１０は、第２切換回路１３６を制御して、第１ＩＦ増幅回路１２８へのゲイン調整を解除する（Ｓ５０４）。なお、第２切換回路１３６によって切換を行うのは、切換を行わないと受信レベルが低い場合でも自動的ゲイン制御がなされて高い受信レベルが出力され、放送波の判別が困難になる場合がありうるからである。
【００４７】
次に、受信制御部１１０は、第１切換回路１２２を制御して狭帯域ＢＰＦ１２６に切換え（Ｓ５０５）、ｆｖとｆｃとの差分、即ち１．２５ＭＨｚ分だけ下がった周波数、即ちｆｖの位置に狭帯域ＢＰＦ１２６の帯域幅を合わせるように制御して、第２の受信レベル情報を検出する（Ｓ５０６）。したがって、新たな同調動作は必要ない。
【００４８】
例えば、アナログＴＶ放送の場合、狭帯域ＢＰＦ１２６が、ｆｖの位置に帯域幅を合わせるように制御されることとなる（図４（ｅ）参照）。この時、狭帯域ＢＰＦ１２６の帯域幅中にアナログＴＶ放送の映像搬送波周波数ｆｖが存在するため、ＯＦＤＭ復調処理部１５０は高い受信レベルを出力し（図４(ｇ）の３３２）、受信制御部１１０はこれを検出することができる。
【００４９】
また、デジタルＴＶ放送を選局した場合、狭帯域ＢＰＦ１２６が、ｆｖの位置で同調されることとなる（図４（ｆ）参照）。デジタルＴＶ放送では、帯域幅全体に渡って搬送波を有するが、受信した帯域幅に比例した受信レベルが出力されるため、ＯＦＤＭ復調処理部１５０は、図４（ｄ）に場合と比較してより低い受信レベルを出力し（図４(ｈ）の３４２）、受信制御部１１０はこれを検出することができる。なお、図４（ｅ）及び（ｆ）における３１０は狭帯域ＢＰＦ１２６の帯域幅を示しいる。
【００５０】
次に、受信制御部１１０は、第１の受信レベルと第２の受信レベルとの比較を行って、放送波の判別を行う（Ｓ５０７）。
【００５１】
即ち、第１の受信レベルが第２の受信レベルとほぼ同じ場合には（図４（ｇ）参照）、アナログＴＶ放送波と判別し、第１の受信レベルに比べて第２の受信レベルが低い場合には（図４（ｈ）参照）、デジタルＴＶ放送波と判別する。このように、第２の放送波判別方法では、放送波の復調を行わずに、放送波（放送方式）の判別を行うことが可能となった。
【００５２】
第２の放送波判別方法では、最初に広帯域ＢＰＦ１２４を利用して第１の受信レベルと検出した後、ｆｖに合わせるように狭帯域ＢＰＦ１２６の帯域幅を合わせて第２の受信レベルを検出した。しかしながら、狭帯域ＢＰＦ１２６に切換える場合、ｆｖに合わせずに、狭帯域ＢＰＦ１２６の帯域幅をｆｓに合わせるようにしても良い。ｆｖとｆｓはちょうど４．７ＭＨｚ離れていることを利用してｆｓに合わせることが可能である。
【００５３】
図６及び図７を用いて、受信装置１０を用いた、第３の放送波の判別動作について説明する。
【００５４】
第３の放送波の判別方法と前述した第２の放送波の判別方法との差異は、図４（ｅ）又は（ｆ）に示す帯域幅０．５ＭＨｚの狭帯域ＢＰＦ１２６を用いるのではなく、図６（ｅ）及び（ｆ）に示すような双峰特性を有する狭帯域ＢＰＦ１２６´を用いる点である。狭帯域ＢＰＦ１２６´は、ちょうどアナログＴＶ放送搬送波のｆｖとｆｓとの差（４．７ＭＨｚ）だけ離れて配置され、それぞれが０．５ＭＨｚの２つの帯域幅を有している。検出信号の受信レベルが多ければ、検出精度が増すことから、双峰特性を有する狭帯域ＢＰＳ１２６´を用いたものである。
【００５５】
図６（ａ）は、図２（ａ）と同様に、１チャンネルに対応した約６ＭＨｚ帯域幅を有するアナログＴＶ放送のスペクトラム２０１を示している。また、図６（ｂ）は、図２（ｂ）と同様に、１チャンネルに対応した約５．７ＭＨｚ帯域幅を有するデジタルＴＶ放送のスペクトラム２０２を示している。
【００５６】
第３の放送波の判別動作において、最初、受信制御部１１０は、広帯域ＢＰＦ１２４を選択し（Ｓ７０１）、広帯域ＢＰＦ１２４の周波数帯域幅を利用して、所定周波数ステップ毎にサーチ選局を行い、広帯域ＢＰＦ１２４を同調させ（Ｓ７０２）、第１の受信レベルを検出する（Ｓ７０３）。
【００５７】
例えば、アナログＴＶ放送を選局した場合、広帯域ＢＰＦ１２４は、アナログＴＶ放送のスペクトラム２０１全体をほぼカバーすることとなる（図６（ｃ）参照）。この時、ＯＦＤＭ復調処理部１５０は、アナログＴＶ放送の映像搬送波周波数ｆｖ又はアナログＴＶ放送の音声搬送波周波数ｆｓに対応する、高い受信レベルを出力し（図６(ｇ）の４３０）、受信制御部１１０はこれを検出することができる。
【００５８】
また、デジタルＴＶ放送を選局した場合、狭帯域ＢＰＦ１２６は、デジタルＴＶ放送のスペクトラム２０２の全体をほぼカバーすることとなる（図６（ｄ）参照）。したがって、ＯＦＤＭ復調処理部１５０は、デジタルＴＶ放送のスペクトラム２０２の全体の帯域幅に比例した高い受信レベルを出力し（図６(ｈ）の４４０）、受信制御部１１０はこれを検出することができる。なお、図６（ｃ）及び（ｄ）における４００は広帯域ＢＰＦ１２４の帯域幅を示している。
【００５９】
次に、受信制御部１１０は、第２切換回路１３６を制御して、第１ＩＦ増幅回路１２８へのゲイン調整を解除する（Ｓ７０４）。なお、第２切換回路１３６によって切換を行うのは、切換を行わないと信号レベルが低い場合でも自動的ゲイン制御がなされて高い受信レベルが出力され、放送波の判別が困難になる場合がありうるからである。
【００６０】
次に、受信制御部１１０は、第１切換回路１２２を制御して狭帯域ＢＰＦ１２６´に切換え（Ｓ７０５）、狭帯域ＢＰＦ１２６´の２つの帯域幅をｆｖ及びｆｃに合わせるように制御して、第２の受信レベル情報を検出する（Ｓ７０６）。したがって、新たな同調動作は必要ない。
【００６１】
例えば、アナログＴＶ放送の場合、狭帯域ＢＰＦ１２６´の２つの帯域幅が、ｆｖ及びｆｓの位置に合致することとなる（図６（ｅ）参照）。この時、同調位置には、アナログＴＶ放送の映像搬送波周波数ｆｖ及び音声搬送波周波数ｆｓが存在するため、ＯＦＤＭ復調処理部１５０は高い受信レベルを出力し（図６(ｇ）の４３２）、受信制御部１１０はこれを検出することができる。
【００６２】
また、デジタルＴＶ放送の場合、狭帯域ＢＰＦ１２６´の２つの帯域幅が、ｆｖ及びｆｓの位置に合致することとなる（図６（ｆ）参照）。デジタルＴＶ放送では、帯域幅全体に渡って搬送波を有するが、受信した帯域幅に比例した受信レベルが出力されるため、ＯＦＤＭ復調処理部１５０は、図６（ｄ）に場合と比較してやや低い受信レベルを出力し（図６(ｈ）の４４２）、受信制御部１１０はこれを検出することができる。
【００６３】
次に、受信制御部１１０は、第１の受信レベルと第２の受信レベルとの比較を行って、放送波の判別を行う（Ｓ７０７）。
【００６４】
即ち、第１の受信レベルが第２の受信レベルとほぼ同じ場合には（図６（ｇ）参照）、アナログＴＶ放送波と判別し、第１の受信レベルに比べて第２の受信レベルがやや低い場合には（図６（ｈ）参照）、デジタルＴＶ放送波と判別する。このように、第２の放送波判別方法では、放送波の復調を行わずに、放送波（放送方式）の判別を行うことが可能となった。
【００６５】
図８は、本発明に係わる他の受信装置１２の概要を示すブロック図である。
【００６６】
受信措置１２において、図１と同様の構成には同じ番号を付した。図１に記載される受信装置１０と図８に記載される受信装置１２との差異は、受信装置１２において、狭帯域ＰＢＦ１２６を用いずに、カットオフ可変ＬＰＦ（Low Pass Filter)１４０を用い、受信制御部１１０においてカットオフ周波数を可変するように制御した点である。したがって、受信装置１２では、広帯域ＢＰＦ１２４と狭帯域ＢＰＦ１２６との第１切換回路１２２は必要ない。
【００６７】
受信装置１２も、デジタルＴＶ放送を受信するための装置であって、選局した放送波がデジタルＴＶ放送によるものであるかアナログＴＶ放送によるものであるかを判別できるように構成されている。受信制御部１１０は、ＣＰＵ、ＲＡＭ及びＲＯＭ等を内蔵し、予めインストールされているプログラムにしたがって、各要素を制御し、後述する手順にしたがって、ＯＦＤＭ復調処理部１５０に入力されたＩＦ周波数信号の信号レベルを受信し、受信した信号レベルに基いて、受信信号がデジタルＴＶ放送用のものであるか、アナログＴＶ放送用のものであるかを判別する。
【００６８】
図９及び図１０を用いて、受信装置１２を用いた、第４の放送波の判別動作について説明する。
【００６９】
図９（ａ）は、図２（ａ）と同様に、１チャンネルに対応した約６ＭＨｚ帯域幅を有するアナログＴＶ放送のスペクトラム２０１を示している。また、図９（ｂ）は、図２（ｂ）と同様に、１チャンネルに対応した約５．７ＭＨｚ帯域幅を有するデジタルＴＶ放送のスペクトラム２０２を示している。
【００７０】
第４の放送波の判別動作において、最初、受信制御部１１０は、カットオフ可変ＬＰＦ１４０を第１のカットオフ周波数に設定し（Ｓ１００１）、所定周波数ステップ毎にサーチ選局を行い、第１の受信レベルを検出する（Ｓ１００２）。
【００７１】
例えば、アナログＴＶ放送の場合、第１のカットオフ周波数によるフィルタシェープ６００は、アナログＴＶ放送のスペクトラム２０１全体をほぼカバーすることとなる（図９（ｃ）参照）。この時、ＯＦＤＭ復調処理部１５０は、アナログＴＶ放送の映像搬送波周波数ｆｖ又はアナログＴＶ放送の音声搬送波周波数ｆｓに対応する、高い受信レベルを出力し（図９(ｇ）の６２０）、受信制御部１１０はこれを検出することができる。
【００７２】
また、デジタルＴＶ放送を選局した場合、第１のカットオフ周波数によるフィルタシェープ６００は、デジタルＴＶ放送のスペクトラム２０２の全体をほぼカバーすることとなる（図９（ｄ）参照）。したがって、ＯＦＤＭ復調処理部１５０は、デジタルＴＶ放送のスペクトラム２０２の全体の帯域幅に比例した高い受信レベルを出力し（図９(ｈ）の６３０）、受信制御部１１０はこれを検出することができる。
【００７３】
次に、受信制御部１１０は、切換回路１３６を制御して、第１ＩＦ増幅回路１２８へのゲイン調整を解除する（Ｓ１００３）。なお、切換回路１３６によって切換を行うのは、切換を行わないと信号レベルが低い場合でも自動的ゲイン制御がなされて高い受信レベルが出力され、放送波の判別が困難になる場合がありうるからである。
【００７４】
次に、受信制御部１１０は、カットオフ可変ＬＰＦ１４０を第２のカットオフ周波数に可変し（Ｓ１００４）、同調周波数を変更せずに、第２の受信レベルを検出する（Ｓ１００５）。
【００７５】
例えば、アナログＴＶ放送の場合、第２のカットオフ周波数によるフィルタシェープ６１０によって、ｆｓを含む部分がカットオフされるが（図９（ｅ）の６１１）、第２のカットオフ周波数によるフィルタシェープ６１０内には、アナログＴＶ放送の映像搬送波周波数ｆｖが存在するため、ＯＦＤＭ復調処理部１５０は高い受信レベルを出力し（図９(ｇ）の６２２）、受信制御部１１０はこれを検出することができる。
【００７６】
また、デジタルＴＶ放送の場合、第２のカットオフ周波数によるフィルタシェープ６１０によって、デジタルＴＶ放送の帯域幅２０２の高周波数側の一部がカットオフされる（図９（ｆ）の６１２）。デジタルＴＶ放送では、帯域幅全体に渡って搬送波を有するが、受信した帯域幅に比例した受信レベルが出力されるため、ＯＦＤＭ復調処理部１５０は、図９（ｄ）に場合と比較してより低い受信レベルを出力し（図９(ｈ）の６３２）、受信制御部１１０はこれを検出することができる。
【００７７】
次に、受信制御部１１０は、第１の受信レベルと第２の受信レベルとの比較を行って、放送波の判別を行う（Ｓ１００６）。
【００７８】
即ち、第１の受信レベルが第２の受信レベルとほぼ同じ場合には（図９（ｇ）参照）、アナログＴＶ放送波と判別し、第１の受信レベルに比べて第２の受信レベルが低い場合には（図９（ｈ）参照）、デジタルＴＶ放送波と判別する。このように、第４の放送波判別方法では、放送波の復調を行わずに、放送波（放送方式）の判別を行うことが可能となった。
【００７９】
図８に示す受信装置１２の場合、第１局部発信回路１１６の第１局部発振周波数を、チャンネルの中心周波数に対して５７＋１／７ＭＨｚだけ高く設定している。したがって、１３チャンネルの場合、中心周波数は４７３ＭＨｚであるから、第１局部発振周波数は４７４ＭＨｚ＋５７＋１／７ＭＨｚ＝５３０．１４２８ＭＨｚとなる。この時、第２ＩＦ増幅回路におけるアナログＴＶ放送の映像搬送周波数ｆｖは２．１７０２ＭＨｚとなり、音声搬送周波数ｆｓは６．６７０２ＭＨｚとなる。この場合、第１のカットオフ周波数を６．５ＭＨｚに設定し、第２のカットオフ周波数を２．３ＭＨｚに設定すれば、図９（ｅ）に示すように、第２のカットオフ周波数によるフィルタシェープ６１０の境は、ちょうど映像搬送波ｆｖより少し上に設定される。
【００８０】
また、図９（ｈ）に示す受信レベルは、例えば受信装置１２に別途装備される実効値型のレベル検出器によって検出されることが好ましい。上記のように、第１局部発振周波数、第１のカットオフ周波数及び第２のカットオフ周波数を設定した場合、第１のカットオフ周波数に設定した場合（図９（ｄ）参照）の有効帯域は５．３ＭＨｚ、第２のカットオフ周波数に設定した場合（図９（ｆ）参照）の有効帯域は１．１ＭＨｚであって、それらの帯域差より６．７ｄＢのレベル差が得られるので、充分に判別可能である。
【図面の簡単な説明】
【００８１】
【図１】本発明に係る受信装置の概略構成を示すブロック図である。
【図２】（ａ）〜（ｆ）は、第１の放送波判別動作を説明するための図である。
【図３】第１の放送波判別動作の制御フローを示す図である。
【図４】（ａ）〜（ｈ）は、第２の放送波判別動作を説明するための図である。
【図５】第２の放送波判別動作の制御フローを示す図である。
【図６】（ａ）〜（ｈ）は、第３の放送波判別動作を説明するための図である。
【図７】第３の放送波判別動作の制御フローを示す図である。
【図８】本発明に係る他の受信装置の概略構成を示すブロック図である。
【図９】（ａ）〜（ｈ）は、第４の放送波判別動作を説明するための図である。
【図１０】第４の放送波判別動作の制御フローを示す図である。
【符号の説明】
【００８２】
１０    受信装置
２０    アンテナ
３０    スピーカ
４０    表示部
１００    チューナ部
１１０    受信制御部
１２０    ＰＬＬ選局回路
１２２、１３６    切換回路
１２４    広帯域ＢＰＦ
１２６    狭帯域ＢＰＦ
１４０    カットオフ可変ＬＰＦ
１５０    ＯＦＤＭ復調処理部
１６０    ＴＳデコード処理部
１７０    映像デコーダ
１８０    提示処理部
１９０    音声デコーダ
【図１】
2006238130.tif 000003
【図２】
2006238130.tif 000004
【図３】
2006238130.tif 000005
【図４】
2006238130.tif 000006
【図５】
2006238130.tif 000007
【図６】
2006238130.tif 000008
【図７】
2006238130.tif 000009
【図８】
2006238130.tif 000010
【図９】
2006238130.tif 000011
【図１０】
2006238130.tif 000012